(57)【要約】      （修正有）【課題】  外形を変更することなく、背面表示部の視認性を改良したディスク収納ケースを提供する。【解決手段】  一端部同士が互いに連結され開閉自在とされた一対のケース半体２、３からなり、一対のケース半体の内部に記録媒体ディスクを収納するディスク収納ケース１であって、一対のケース半体のうち少なくとも一方に、記録媒体ディスクを収容するディスクトレイ４が嵌め込まれ、ケース半体３とディスクトレイ４との間に、インデックス５が介挿されるディスク収納ケースにおいて、インデックス５が一対のケース半体の一端部側に、ディスクトレイの記録媒体ディスクを収容する収容面と略直角に延びた背面表示部５１を有し、ディスクトレイが背面表示部と略並行に延びた凸レンズ状の背面壁部４３ｃを有し、ケース半体３が、ディスク収納ケースを閉じたとき、凸レンズ状の背面壁部の外側に位置する背面壁３３を有する。【選択図】図２
2006256678.tif 000002
【特許請求の範囲】
【請求項１】
一端部同士が互いに連結され開閉自在とされた一対のケース半体からなり、該一対のケース半体の内部に記録媒体ディスクを収納するディスク収納ケースであって、
前記一対のケース半体のうち少なくとも一方に、前記ディスク収納ケースに収納される記録媒体ディスクを収容するディスクトレイが嵌め込まれ、該ケース本体と該ディスクトレイとの間に、カード状のインデックスが介挿されるディスク収納ケースにおいて、
該インデックスが前記一対のケース半体の一端部側に、前記ディスクトレイの記録媒体ディスクを収容する収容面と略直角に延びた背面表示部を有し、
前記ディスクトレイが前記背面表示部と略並行に延びた凸レンズ状の背面壁部を有し、前記一対のケース半体の一方が、ディスク収納ケースを閉じたとき、前記凸レンズ状の背面壁部の外側に位置する背面壁を有するものであることを特徴とするディスク収納ケース。
【請求項２】
前記凸レンズ状の背面壁部がシリンドリカルレンズ状に形成されていることを特徴とする請求項１に記載のディスク収納ケース。
【請求項３】
前記ディスクトレイと、該ディスクトレイが嵌め込まれる側の前記ケース半体の少なくとも一方に、前記背面表示部を前記凸レンズ状の背面壁部によって虚像が形成される位置に保持するためのリブ状突起が設けられたことを特徴とする請求項１又は２に記載のディスク収納ケース。
【発明の詳細な説明】
【技術分野】
【０００１】
本発明は、ディスク収納ケースに関し、特に、ＣＤ、ＤＶＤ等の記録媒体ディスクを収納するケースに関するものである。
【背景技術】
【０００２】
ＣＤ（Compact Disc）、ＤＶＤ（Digital Versatile Disc）、ＢＤ（Blu-ray Disc）等の記録媒体ディスクを収納するディスク収納ケースとして、図３に示す如く、記録媒体ディスク（図示しない）を着脱自在に保持するディスクトレイ１４と、このディスクトレイ１４を収納し、一端縁同士が互いに連結され、開閉自在な一対のケース半体１２、１３からなるディスク収納ケース１１が広く用いられている。このように３部品で構成されたディスク収納ケース１１は、一般にディスクトレイ１４が嵌め込まれた裏側ケース半体１３と、表側ケース半体１２の内面に、各々、タイトル等が表記されたカード状やブックレット状の表側インデックス１６、裏側インデックス１５が収容される構造になっていて、裏側インデックス１５はタイトル等の表記が可能な表面表示部１５２や背面表示部１５１を備えているものが公知となっている。
【０００３】
一般に、多数のディスク収納ケースを縦置きあるいは横置きに重ねて置くと、表側ケース半体１２及び裏側ケース半体１３の外側表面から視認可能であった表側インデックス１６及び裏側インデックス１５のタイトル等の表記面が隠れてしまうため、タイトル等を確認することができない。したがってこの場合、タイトル等の確認には裏側インデックス１５に備えられた表面表示部１５２や背面表示部１５１が利用されている。
【０００４】
しかしながら、このような構成を有する従来のディスク収納ケース１１は、厚いものでも厚さは１０ｍｍ程度であり、裏側インデックス１５の表面表示部１５２及び背面表示部１５１の幅は、裏側ケース半体１３の内面から裏側ケース半体１３の周壁の端部までの距離に制限されていて、僅か６ｍｍ前後しかないため、タイトル等を小さな文字で表記しなければならず、記載された内容が非常に読み取りにくいといった問題がある。
【０００５】
かかる背景下、上記のようなディスク収納ケースにおいて、背面表示部の外側に位置する裏側ケース半体の背面壁を凸レンズにしたディスク収納ケースが開示されている。（特許文献１）
【特許文献１】特開２００４−９１０４２号公報
【発明の開示】
【発明が解決しようとする課題】
【０００６】
しかしながら上記のようなディスク収納ケースは、ディスク収納ケースの外面に凸レンズを設けているため、従来のディスク収納ケースでは略扁平であったディスク収納ケースの一面が凸レンズ状の面になってしまって、ディスク収納ケースの外形が従来のディスク収納ケースの外形から変更されてしまう。よって、従来のディスク収納ケースと並べて収納する際に、収まりが悪いといった問題がある。
【０００７】
本発明はかかる事情に鑑みてなされたものであり、ディスク収納ケースの外形を変更することなく、背面表示部の視認性を改良したディスク収納ケースを提供することを目的とするものである。
【課題を解決するための手段】
【０００８】
本発明のディスク収納ケースは、一端部同士が互いに連結され開閉自在とされた一対のケース半体からなり、該一対のケース半体の内部に記録媒体ディスクを収納するディスク収納ケースであって、
前記一対のケース半体のうち少なくとも一方に、前記ディスク収納ケースに収納される記録媒体ディスクを収容するディスクトレイが嵌め込まれ、該ケース本体と該ディスクトレイとの間に、カード状のインデックスが介挿されるディスク収納ケースにおいて、
該インデックスが前記一対のケース半体の一端部側に、前記ディスクトレイの記録媒体ディスクを収容する収容面と略直角に延びた背面表示部を有し、
前記ディスクトレイが前記背面表示部と略並行に延びた凸レンズ状の背面壁部を有し、前記一対のケース半体の一方が、ディスク収納ケースを閉じたとき、前記凸レンズ状の背面壁部の外側に位置する背面壁を有するものであることを特徴とするものである。
【０００９】
本発明のディスク収納ケースにおいては、前記凸レンズ状の背面壁部がシリンドリカルレンズ状に形成されていることが好ましい。
【００１０】
本発明のディスク収納ケースでは、前記ディスクトレイと、該ディスクトレイが嵌め込まれる側の前記ケース半体の少なくとも一方に、前記背面表示部を前記凸レンズ状の背面壁部によって虚像が形成される位置に保持するためのリブ状突起が設けられたものとすることができる。
【発明の効果】
【００１１】
以上のように構成された本発明のディスク収納ケースでは、インデックスが一対のケース半体の一端部側に、ディスクトレイの記録媒体ディスクを収容する収容面と略直角に延びた背面表示部を有し、ディスクトレイが背面表示部と略並行に延びた凸レンズ状の背面壁部を有し、一対のケース半体の一方が、ディスク収納ケースを閉じたとき、凸レンズ状の背面壁部の外側に位置する背面壁を有するので、ケース半体の背面壁の外側表面から背面表示部に印刷または記入された記録内容を視認する際に、記録内容の表記が凸レンズ状の背面壁部によって拡大されて、記録内容が読み取りやすくなる。
【００１２】
また、凸レンズ状の背面壁部がディスク収納ケースの内側に位置することにより、ディスク収納ケースの外形が従来のディスク収納ケースの外形から変更されないので、従来のディスク収納ケースと並べて収納しても収まりが良い。
【００１３】
また、ディスクトレイとディスクトレイが嵌め込まれる側のケース半体の少なくとも一方に、背面表示部を凸レンズ状の背面壁部によって虚像が形成される位置に保持するためのリブ状突起が設けられた場合には、凸レンズ状の背面壁部によって虚像が形成される位置において、背面表示部がディスクトレイの記録媒体ディスクを収容する収容面と略直角に、リブ状突起によって確実に係止されるので、背面表示部が斜めに位置したり、移動したりすることがない。したがって、ディスク収納ケースの外面から背面表示部に印刷または記入された記録内容を視認する際に、凸レンズ状の背面壁部によって拡大された記録内容の表記がぶれることがないので、記録内容がさらに読み取りやすくなる。
【発明を実施するための最良の形態】
【００１４】
次に、図面を参照し、本発明に係る実施形態のディスク収納ケースについて説明する。本実施形態のディスク収納ケースは、ＣＤ、ＤＶＤ、ＢＤ等の記録媒体ディスクを収納するケースである。
【００１５】
図１は本実施形態におけるディスク収納ケースの閉じたときの分解斜視図、図２は図１のII−IIにおける主要部断面図を示すものである。
【００１６】
図１に示す如く、本実施形態のディスク収納ケース１は、記録媒体ディスク（図示しない）を収容するディスクトレイ４とディスクトレイ４を収納し、一端部同士が互いにヒンジ結合によって連結され開閉自在とされた表側ケース半体２と裏側ケース半体２とから概略構成されている。
【００１７】
表側ケース半体２は略扁平な平坦部２１と、平坦部２１の両側にそれぞれ設けられた一対の側壁２２とで構成されていて、一対の側壁２２は裏側ケース半体３と連結される一端部側がいずれも平坦部２２より長い部分Ａを有しており、この長い部分Ａが裏側ケース半体３と連結されるヒンジ結合部２２ａとなっている。ヒンジ結合部２２ａの内面側には、後述する裏側ケース半体３のヒンジ軸受け穴３２ｂと嵌合するヒンジ軸２２ｂが突設されている。
【００１８】
裏側ケース半体３は略扁平な平坦部３１と、平坦部３１の両側にそれぞれ設けられた一対の側壁３２と、一対の側壁３２にそれぞれ略直角に設けられていて、表側ケース半体２と連結される一端部側に位置する背面壁３３と、背面壁３３と平坦部３１を介して対向して位置する前面壁３４とで概略構成されている。一対の側壁３２は、ディスクトレイ４から記録媒体ディスクを簡易に取り出すために、側壁３２の長手方向の略中央部にそれぞれ切欠部３２ａを有しており、表側ケース半体２と連結される一端部側には、表側ケース半体２のヒンジ軸２２ｂと嵌合可能な位置に、ヒンジ軸２２ｂと嵌合するヒンジ軸受け穴３２ｂがそれぞれ設けられている。
【００１９】
また、平坦部３１の内面には後述するインデックス５の背面表示部５１を係止するためのリブ状突起３５が、背面壁３３の長手方向に沿って数箇所突設されている。このリブ状突起３５については詳細な説明を後記する。
【００２０】
この一対のケース半体２、３においては、表側ケース半体２の側壁２２が裏側ケース半体３の側壁３２の外側に位置するように、平坦部２１、３１の大きさ等が設計されており、裏側ケース半体３が表側ケース半体２に嵌め込まれるようになっている。
【００２１】
また、一対のケース半体２、３のうち裏側ケース半体３にはディスクトレイ４が着脱自在に嵌め込まれており、裏側ケース半体３とディスクトレイ４との間には、収容される記録媒体ディスクの記録内容等が表記されたインデックス５が介挿されている。
【００２２】
インデックス５は一対のケース半体２、３が連結されている一端部側に、ディスクトレイ４の記録媒体ディスクが収容される面と略直角に延びた背面表示部５１を有しており、この背面表示部５１にはタイトル等が表記されている。
【００２３】
なお、本発明においてインデックス５の表記内容は制限されるものではなく、例えば、タイトルや記録内容、写真、記録内容を書換え可能な欄等を印刷または記入してもよい。
【００２４】
また、本発明において一対のケース半体２、３はインデックス５の視認性を考慮すれば、透光性を有することが好ましい。
【００２５】
また、裏側ケース半体３に嵌め込まれたディスクトレイ４は略矩形状であって、ディスクトレイ４の表側ケース半体２側の面には記録媒体ディスクが嵌め込まれて収容される略円盤状のディスク収納凹部４１が設けられていて、ディスク収納凹部４１の中央部には記録媒体ディスクの中央開口部側を着脱自在に保持するディスククランパ４２が設けられている。
【００２６】
さらに図２に示す如く、ディスクトレイ４は一対のケース半体２、３が連結されている一端部側に、ケース半体２、３のヒンジ結合部２２ｂ、３２ｂを避けるための段差部４３が設けられている。段差部４３は記録媒体ディスクを収容する収容面から上方に緩やかに延びて形成された斜面段差部４３ａと、斜面段差部４３ａの端部から記録媒体ディスクを収容する収容面と略並行にさらに延びていて、ディスク収納ケース１を閉じたときに表側ケース半体２の外側表面と略同一上に位置するように形成された平面段差部４３ｂと、平面段差部４３ｂの端部から下方に、平面段差部４３ｂと略直角にさらに延びて、ディスク収納ケース１を閉じたときに裏側ケース半体３の背面壁３３の内側に位置するように、シリンドリカルレンズ状に形成された背面壁部４３ｃとを備えている。
【００２７】
シリンドリカルレンズ状に形成されたディスクトレイ４の背面壁部４３ｃと、インデックス５の背面表示部５１とは略並行であり、背面表示部５１はシリンドリカルレンズ状の背面壁部４３ｃによって虚像が形成される位置に設置されている。
【００２８】
なお本発明において虚像が形成される位置とは、ディスク収納ケース１においてインデックス５の背面表示部５１が設置可能な空間を考慮すると、焦点距離１５ｍｍ以上を持つレンズに対して、ディスクトレイ４の背面壁部４３ｃの内面からインデックス５の背面表示部５１の外面までの距離ＬがＬ＝０〜１０ｍｍであることが好ましく、背面表示部５１の表記内容を視認性が良好となるように拡大表示するためには、Ｌ＝５〜７ｍｍであることがさらに好ましい。
【００２９】
また、ディスクトレイ４の平面段差部４３ｂの内面には、インデックス５の背面表示部５１を上述した虚像が形成される位置に係止するためのリブ状突起４４が突設されている。ディスクトレイ４のリブ状突起４４は裏側ケース半体３に設けられたリブ状突起３５とインデックス５の背面表示部５１が設置可能である空間を介して対向する位置に設けられている。
【００３０】
ここで、裏側ケース半体３とディスクトレイ４のリブ状突起３５、４４の高さＨは、インデックス５の背面表示部５１を極力露出できるように考慮すると、高さＨ＝０．１〜１ｍｍとすることが好ましい。
【００３１】
なお本実施形態では裏側ケース半体とディスクトレイのそれぞれに、数箇所リブ状突起を設けたが、本発明のディスク収納ケースはこれに限られるものではなく、例えば、ディスクトレイと裏側ケース半体のどちらか一方にリブ状突起を設けても良いし、裏側ケース半体とディスクトレイの面全体に突起を設けてもよい。
【００３２】
また、本発明のディスク収納ケースにおいて、ディスクトレイを構成する材料としては、軽量性、成形容易性、耐衝撃性及び染色性等に優れた合成樹脂材料が利用できる。例えば、ポリメチルメタクリレート、ポリジエチレングレコールピスアクリルカーボネート、ポリスチレン、ポリカーボネート等が挙げられる。
【００３３】
また、本発明のディスク収納ケースの成形方法としては、流動性プラスチック材料を鋳型内に注入して、熱、放射線等により重合する、いわゆる注型成形法、熱可塑性重合体を熱融溶して賦形する射出成形法、及び材料を加熱金型に入れて、圧力と熱をかけて成形し、冷却後成型品を取り出す圧縮成形法等が挙げられる。
【００３４】
以上のような構成のディスク収納ケースによれば、インデックスが一対のケース半体の一端部側に、ディスクトレイの記録媒体ディスクを収容する収容面と略直角に延びた背面表示部を有し、ディスクトレイが背面表示部と略並行に延びた凸レンズ状の背面壁部を有し、一対のケース半体の一方が、ディスク収納ケースを閉じたとき、凸レンズ状の背面壁部の外側に位置する背面壁を有するので、ケース半体の背面壁の外側表面から背面表示部に印刷または記入された記録内容を視認する際に、記録内容の表記が凸レンズ状の背面壁部によって拡大されて、記録内容が読み取りやすくなる。
【００３５】
また、凸レンズ状の背面壁部がディスク収納ケースの内側に位置することにより、ディスク収納ケースの外形が従来のディスク収納ケースの外形から変更されないので、従来のディスク収納ケースと並べて収納しても収まりが良い。
【００３６】
また、ディスクトレイとディスクトレイが嵌め込まれる側のケース半体の少なくとも一方に、背面表示部を凸レンズ状の背面壁部によって虚像が形成される位置に保持するためのリブ状突起が設けられているので、凸レンズ状の背面壁部によって虚像が形成される位置において、背面表示部がディスクトレイの記録媒体ディスクを収容する収容面と略直角に、リブ状突起によって確実に係止されることによって、背面表示部が斜めに位置したり、移動したりすることがない。したがって、ディスク収納ケースの外面から背面表示部に印刷または記入された記録内容を視認する際に、凸レンズ状の背面壁部によって拡大された記録内容の表記がぶれることがないので、記録内容がさらに読み取りやすくなる。
【図面の簡単な説明】
【００３７】
【図１】本発明のディスク収納ケースの好適な態様を示す分解斜視図である。
【図２】図１のII−IIにおける主要部断面図である。
【図３】従来のディスク収納ケースの斜視図である。
【符号の説明】
【００３８】
１      ディスク収納ケース
２      表側ケース半体
３      裏側ケース半体
３３    背面壁
４      ディスクトレイ
４３ｃ  凸レンズ状の背面壁部
５      インデックス
５１    背面表示部
【図１】
2006256678.tif 000003
【図２】
2006256678.tif 000004
【図３】
2006256678.tif 000005